(57)【要約】      （修正有）【課題】携帯型記憶装置において、スイッチの接触不良や損害を改善し、安定性の向上を図る。【解決手段】携帯型記憶装置は筐体モジュール１、記憶モジュール、オンオフモジュール３及び活動モジュール４を含む。筐体モジュールは、第１開口１０、収容空間１１及び収容空間に位置するストッパー１２を有する。第１開口と収容空間は連通する。ストッパーは第１開口に近接する。記憶モジュールは収容空間に位置する。オンオフモジュールは収容空間に位置し、記憶モジュールに電気的に接続される。活動モジュールは収容空間に位置し、活動可能に第１開口に穿設される。活動モジュールがオンオフモジュールへ近づくと、活動モジュールがストッパーに当接すると共にオンオフモジュールに接触することによって安定性良くオンオフモジュールを運行させる。【選択図】図３
0003224086.tif 000002
【実用新案登録請求の範囲】
【請求項１】
第１開口と、前記第１開口と連通する収容空間と、前記収容空間に位置すると共に前記第１開口に近接するストッパーとを有する筐体モジュールと、    
前記収容空間に位置する記憶モジュールと、
前記収容空間に位置し、前記記憶モジュールに電気的に接続されるオンオフモジュールと、
前記収容空間に位置し、前記第１開口に活動可能に穿設される活動モジュールと、
を含み、
前記活動モジュールが前記オンオフモジュールへ近づくと、前記活動モジュールが前記ストッパーに当接すると共に前記オンオフモジュールに接触することによって前記オンオフモジュールを運行させることを特徴とする携帯型記憶装置。
【請求項２】
前記活動モジュールは、
ポートを有し、前記収容空間に位置すると共に前記筐体モジュールに活動可能に接続されるリミットユニットと、
前記ポートに穿設されると共に外部へ延びて形成される支持部を有し、前記第１開口に活動可能に穿設されるタクタイルユニットと、
を含み、
前記タクタイルユニットが前記リミットユニットを前記オンオフモジュールへ連動して近づかせると、前記リミットユニットが前記ストッパーに当接すると共に、前記タクタイルユニットが前記オンオフモジュールに接触することによって前記オンオフモジュールを運行させることを特徴とする請求項１に記載の携帯型記憶装置。
【請求項３】
前記支持部が前記リミットユニットの一方端に近接し、前記ストッパーが前記リミットユニットの他方端に対応することを特徴とする請求項２に記載の携帯型記憶装置。
【請求項４】
前記筐体モジュールは複数の位置決め部を有し、
前記リミットユニットは複数の位置決め口を有し、
各前記位置決め口は対応する前記位置決め部に活動可能に嵌設されることを特徴とする請求項２に記載の携帯型記憶装置。
【請求項５】
前記リミットユニットは、
本体部と、
前記本体部に接続される複数の延伸部と、
前記位置決め口をそれぞれ有し、対応する前記延伸部にそれぞれ接続され、互いに接続する複数のリミット部と、
を有することを特徴とする請求項４に記載の携帯型記憶装置。
【請求項６】
前記オンオフモジュールは、
前記収容空間に位置し、前記記憶モジュールに電気的に接続される制御ユニットと、
前記収容空間に位置し、前記制御ユニットに電気的に接続され、前記第１開口に対応するスイッチユニットと、
を含み、
前記制御ユニットは前記タクタイルユニットの前記スイッチユニットへの接触により運行することを特徴とする請求項２に記載の携帯型記憶装置。
【請求項７】
前記リミットユニットは前記タクタイルユニットと前記スイッチユニットとの間に位置することを特徴とする請求項６に記載の携帯型記憶装置。
【請求項８】
前記オンオフモジュールは、前記スイッチユニットに嵌設され、前記スイッチユニットと前記リミットユニットとの間に位置する弾性ユニットを更に含むことを特徴とする請求項６に記載の携帯型記憶装置。
【請求項９】
前記筐体モジュールは第２開口を更に有し、
前記オンオフモジュールは前記制御ユニットに電気的に接続される少なくとも１つの伝送ユニットを更に含み、
少なくとも１つの前記伝送ユニットは、前記第２開口に穿設され、少なくとも１つの外部メッセージを受信して前記制御ユニットを介して前記記憶モジュールに送ることを特徴とする請求項６に記載の携帯型記憶装置。
【請求項１０】
前記筐体モジュールは第３開口を更に有し、
前記オンオフモジュールは、前記制御ユニットに電気的に接続され、外部電源端からの給電を受けて前記制御ユニットに給電する電源ユニットを更に含むことを特徴とする請求項６に記載の携帯型記憶装置。
【考案の詳細な説明】
【技術分野】
【０００１】
本考案は記憶装置に関し、特に携帯型記憶装置に関する。
【背景技術】
【０００２】
情報産業の発展に伴って、多くのメディアデータ、ビデオデータ、オーディオデータ、書類ファイルやゲームファイル等のファイルに必要な容量が大きくなりつつあり、市販されているＵＳＢフラッシュドライブの容量が既に一般消費者の需要を満たせない。そのため、携帯型ハードディスクが出現し、一般のハードディスクのような大記憶容量を有すると共に、フラッシュドライブの携帯性も備える。
【０００３】
携帯型ハードディスクは外部の筐体、スイッチ構造及び内部のハードディスクを含む。外部の筐体は内部のハードディスクを保護するためのものであり、スイッチ構造はハードディスクを起動させるためのものである。しかし、目前、既存の携帯型ハードディスクのスイッチ構造の設計が過度に簡単で粗末であるため、スイッチ構造に接触不良や損害が発生しやすくなる。
【考案の概要】
【０００４】
本考案が解決しようとする技術的課題は、既存の技術的不足を改善できる携帯型記憶装置を提供することにある。
【０００５】
上述した技術的課題を解決するために、本考案に係る携帯型記憶装置は、筐体モジュール、記憶モジュール、オンオフモジュール及び活動モジュールを含む。筐体モジュールは第１開口、収容空間及び収容空間に位置するストッパーを有する。第１開口と収容空間は連通する。ストッパーは第１開口に近接する。記憶モジュールは収容空間に位置する。オンオフモジュールは収容空間に位置し、記憶モジュールに電気的に接続される。活動モジュールは収容空間に位置し、活動可能に第１開口に穿設される。活動モジュールがオンオフモジュールへ近づくと、活動モジュールがストッパーに当接すると共にオンオフモジュールに接触することによってオンオフモジュールを運行させる。
【０００６】
本考案に係る携帯型記憶装置は、「筐体モジュールは第１開口、収容空間及び収容空間に位置するストッパーを有する。第１開口と収容空間が連通する。ストッパーは第１開口に近接する。」、「オンオフモジュールは収容空間に位置し、記憶モジュールに電気的に接続される」、「活動モジュールは収容空間に位置し、活動可能に第１開口に穿設される」及び「活動モジュールがオンオフモジュールへ近づくと、活動モジュールがストッパーに当接すると共にオンオフモジュールに接触することによってオンオフモジュールを運行させる」の技術手段により、スイッチの安定性を向上させることができるという優れた効果を奏することができる。
【図面の簡単な説明】
【０００７】
【図１】本考案の第１実施例の携帯型記憶装置の斜視模式図である。
【図２】本考案の第１実施例の携帯型記憶装置の解体模式図である。
【図３】本考案の第１実施例の携帯型記憶装置の部分模式図である。
【図４】本考案の第１実施例の携帯型記憶装置の第１作動模式図である。
【図５】本考案の第１実施例の携帯型記憶装置の第２作動模式図である。
【図６】本考案の第２実施例の携帯型記憶装置の断面模式図である。
【図７】本考案の第２実施例の活動モジュールの斜視模式図である。
【図８】本考案の第２実施例の活動モジュールの分解模式図である。
【図９】本考案の第２実施例の筐体モジュールと活動モジュールの構造模式図である。
【図１０】図９におけるＸ部分の拡大模式図である。
【図１１】本考案の第２実施例の筐体モジュールと活動モジュールの分解模式図である。
【図１２】本考案の第３実施例の携帯型記憶装置の解体模式図である。
【図１３】本考案の第３実施例の携帯型記憶装置の部分断面模式図である。
【考案を実施するための形態】
【０００８】
本考案の特徴及び技術的内容をより明瞭に理解するために、以下の関連する本考案の詳細な説明や図面を参酌しても良い。ただし、これらの図面はあくまでも参照と説明を提供するためのものにすぎず、本考案はこれらに制限されるものではない。
【０００９】
以下、特定の具体的実施例により本考案に係る「携帯型記憶装置」に関する実施形態を説明する。当業者であれば、本明細書所に開示された内容から本考案の利点と効果を理解できる。本考案は、その他の異なる具体的実施例で実施又は適用されることができる。本考案の要旨を逸脱しない限り、本明細書のそれぞれの詳細が異なる観点と適用に基づいて各種の改修と変更を加えても良い。又、先に説明する必要があるのは、本考案の図面が単に模式的に説明するためのものにすぎず、実際の寸法に基づいて描かれたものではない。以下の実施形態は、本考案の関連する技術的内容をより詳細に説明するが、その開示された内容は本考案の実用新案登録請求の範囲を制限するためのものではない。
【００１０】
理解すべきことは、本文で「第１」、「第２」、「第３」等の用語により各種の素子を記述する場合があるが、これらの素子はこれらの用語に制限されない。これらの用語は主に一方の素子と他方の素子を区別するためのものである。又、本文で使用された用語の「又は」は、実際の場合によれば関連して挙げられた項目の中のいずれか１個又は複数個の組み合わせを含む場合もある。
【００１１】
［第１実施例］
図１乃至図５を参照する。図１乃至図５は、本考案の第１実施例の携帯型記憶装置の斜視模式図、解体模式図、部分模式図、第１作動模式図及び第２作動模式図をそれぞれ示す。図１乃至図５に示すように、本考案の第１実施例に係る携帯型記憶装置Ｄは、筐体モジュール１、記憶モジュール２、オンオフモジュール３及び活動モジュール４を含む。筐体モジュール１は第１開口１０、収容空間１１及び収容空間１１に位置するストッパー１２を有する。第１開口１０と収容空間１１は連通する。ストッパー１２は第１開口１０に近接する。記憶モジュール２は収容空間１１に位置する。オンオフモジュール３は収容空間１１に位置し、記憶モジュール２に電気的に接続される。活動モジュール４は収容空間１１に位置し、活動可能に第１開口１０に穿設される。活動モジュール４がオンオフモジュール３へ近づくと、活動モジュール４がストッパー１２に当接すると共にオンオフモジュール３に接触することによってオンオフモジュール３を運行させる。
【００１２】
具体的に言えば、本考案の第１実施例に係る携帯型記憶装置Ｄは筐体モジュール１、記憶モジュール２、オンオフモジュール３及び活動モジュール４を含む。筐体モジュール１はケーシングであってもよい。また、筐体モジュール１は金属又はプラスチック等の材質で製造したものであってもよい。筐体モジュール１は第１開口１０を有する。筐体モジュール１の内部には収容空間１１を有する。収容空間１１と第１開口１０は連通する。記憶モジュール２が収容空間１１に収容される。記憶モジュール２はソリッドステートドライブ（ＳＳＤ）又は従来のハードディスク（ＨＤＤ）であってもよいが、これに制限されない。筐体モジュール１は収容空間１１に位置する。また、筐体モジュール１は筐体モジュール１の内壁に設けられるストッパー１２を更に有する。オンオフモジュール３と記憶モジュール２は電気的に接続される。活動モジュール４は収容空間１１に位置し、活動可能に第１開口１０に穿設される。活動モジュール４が活動可能に筐体モジュール１に接続される。
【００１３】
従って、使用者が活動モジュール４を押圧すると、活動モジュール４はオンオフモジュール３へ近づくと共に、近づいている過程でストッパー１２に当接する。次に、使用者が活動モジュール４を押圧し続けると、活動モジュール４はオンオフモジュール３に接触することによってオンオフモジュール３を運行させる。その後、使用者が携帯型記憶装置Ｄにデータのアクセルを行うことができる。
【００１４】
これにより、本考案の携帯型記憶装置Ｄは上述した技術手段により、新規なスイッチ設計構造を提供でき、活動モジュール４のオンオフモジュール３への接触の安定性も向上させることができる。
【００１５】
また、上述した例は１つの実現可能な実施例にすぎず、本考案を制限ためのものではない。
【００１６】
［第２実施例］
図１乃至図５及び図６乃至図１１を同時に参照する。図６乃至図１１は、本考案の第２実施例の携帯型記憶装置の断面模式図、本考案の第２実施例の活動モジュールの斜視模式図、本考案の第２実施例の活動モジュールの分解模式図、本考案の第２実施例の筐体モジュールと活動モジュールの構造模式図、図９におけるＸ部分の拡大模式図及び本考案の第２実施例の筐体モジュールと活動モジュールの分解模式図をそれぞれ示す。図１乃至図５及び図６乃至図１１に示すように、本実施例の携帯型記憶装置Ｄは上述した第１実施例の携帯型記憶装置Ｄと同じ素子について作動方式が類似するため、ここで繰り返して説明しない。また、本実施例において、活動モジュール４はリミットユニット４０及びタクタイルユニット４１を含んでも良い。リミットユニット４０は収容空間１１に位置し、活動可能に筐体モジュール１に接続する。リミットユニット４０はポート４００を有してもよい。タクタイルユニット４１が活動可能に第１開口１０に穿設される。タクタイルユニット４１は外部へ延びて形成された支持部４１０を有してもよい。支持部４１０がポート４００に穿設される。タクタイルユニット４１がリミットユニット４０をオンオフモジュール３へ連動して近づかせると、リミットユニット４０がストッパー１２に当接すると共にタクタイルユニット４１がオンオフモジュール３に接触することによってオンオフモジュール３を運行させる。
【００１７】
具体的に言えば、活動モジュール４はリミットユニット４０及びタクタイルユニット４１を含む。リミットユニット４０は収容空間１１に位置する。リミットユニット４０はポート４００を有してもよい。タクタイルユニット４１はリミットユニット４０に位置し、活動可能に第１開口１０に穿設される。タクタイルユニット４１は外部へ延びて支持部４１０を形成する。支持部４１０がポート４００に穿設される。従って、使用者がタクタイルユニット４１を押圧すると、タクタイルユニット４１がリミットユニット４０をオンオフモジュール３へ連動して近づかせる。この時、タクタイルユニット４１が近づいている過程で、リミットユニット４０の他方端がストッパー１２に当接する。次に、リミットユニット４０の一方端がオンオフモジュール３へ近づき続けると共に支持部４１０によりオンオフモジュール３に接触することによってオンオフモジュール３を運行させる。
【００１８】
更に、支持部４１０はリミットユニット４０の一方端に近接する。ストッパー１２はリミットユニット４０の他方端に対応する。つまり、リミットユニット４０の一方端がタクタイルユニット４１の支持部４１０に対応し、リミットユニット４０の他方端がストッパー１２に対応する。
【００１９】
更に、筐体モジュール１は複数の位置決め部１３を有してもよい。リミットユニット４０は複数の位置決め口４０１を有してもよい。各位置決め口４０１が対応する位置決め部１３に活動可能に嵌設される。リミットユニット４０は本体部４０２、本体部４０２に接続される複数の延伸部４０３及び複数のリミット部４０４を有してもよい。複数のリミット部４０４は互いに接続する。複数のリミット部４０４は対応する延伸部４０３に接続される。各リミット部４０４は位置決め口４０１を有する。
【００２０】
例を挙げて言えば、リミットユニット４０は本体部４０２、複数の延伸部４０３及び複数のリミット部４０４を更に有してもよい。本体部４０２はポート４００を有する。複数のリミット部４０４が対応する延伸部４０３により本体部４０２に接続される。各リミット部４０４は位置決め口４０１を有してもよい。筐体モジュール１の内壁には複数の位置決め部１３が設けられてもよい。従って、リミットユニット４０は複数の位置決め口４０１が対応する位置決め部１３に活動可能に嵌設されることにより、筐体モジュール１に活動可能に接続される。
【００２１】
また、上述したの例が１つの実現可能な実施例にすぎず、本考案を制限するためのものではない。
【００２２】
［第３実施例］
図１乃至図１１並びに図１２及び図１３を参照する。図１２及び図１３は、本考案の第３実施例の携帯型記憶装置の解体模式図及び部分断面模式図をそれぞれ示す。図１乃至図１１並びに図１２及び図１３に示すように、本実施例の携帯型記憶装置Ｄは上述した各実施例の携帯型記憶装置Ｄと同じ素子について作動方式が類似するため、ここで繰り返して説明しない。また、本実施例において、オンオフモジュール３は制御ユニット３０及びスイッチユニット３１を含んでもよい。制御ユニット３０は収容空間１１に位置し、記憶モジュール２に電気的に接続される。スイッチユニット３１は収容空間１１に位置し、制御ユニット３０に電気的に接続される。スイッチユニット３１は第１開口１０に対応する。制御ユニット３０はタクタイルユニット４１のスイッチユニット３１への接触により運行する。
【００２３】
具体的に言えば、オンオフモジュール３は制御ユニット３０及びスイッチユニット３１を有してもよい。制御ユニット３０は回路基板又は処理部品であってもよい。スイッチユニット３１は一般のスイッチ素子であってもよく、これに制限されない。制御ユニット３０は収容空間１１に位置し、記憶モジュール２とスイッチユニット３１に電気的に接続される。スイッチユニット３１が制御ユニット３０に設けられてもよく、これに制限されない。従って、活動モジュール４のタクタイルユニット４１がスイッチユニット３１に接触すると、制御ユニット３０はスイッチユニット３１がタッチされたことにより運行又は運行の停止を行う。
【００２４】
更に、リミットユニット４０はタクタイルユニット４１とスイッチユニット３１との間に位置する。オンオフモジュール３は、スイッチユニット３１に嵌設されると共にスイッチユニット３１とリミットユニット４０の間に位置する弾性ユニット３２を更に含む。
【００２５】
例を挙げて言えば、オンオフモジュール３は弾性ユニット３２を更に含む。弾性ユニット３２はバネであってもよく任意の弾性素子であってもよい。弾性ユニット３２はスイッチユニット３１とリミットユニット４０との間に位置すると共にスイッチユニット３１とリミットユニット４０に突き当たってもよい。従って、使用者の手部がタクタイルユニット４１を離れる際に、弾性ユニット３２が自体の弾性復原力によりタクタイルユニット４１をスイッチユニット３１から離させる。又、リミットユニット４０はタクタイルユニット４１とスイッチユニット３１との間にも位置する。
【００２６】
更に、筐体モジュール１は第２開口１４を有してもよい。オンオフモジュール３は制御ユニット３０に電気的に接続される少なくとも１つの伝送ユニット３３を更に含む。少なくとも１つの伝送ユニット３３が第２開口１４に穿設される。少なくとも１つの伝送ユニット３３は、少なくとも１つの外部メッセージを受信して制御ユニット３０を介して記憶モジュール２に送る。
【００２７】
例を挙げて言えば、オンオフモジュール３は少なくとも１つの伝送ユニット３３を更に含む。伝送ユニット３３は、ユニバーサル・シリアル・バス（Ｕｎｉｖｅｒｓａｌ  Ｓｅｒｉａｌ  Ｂｕｓ、  ＵＳＢ）インターフェースの接続ポートであってもよく、これに制限されない。伝送ユニット３が制御ユニット３０に電気的に接続されると共に第２開口１４に穿設されてもよい。従って、使用者は伝送線材により伝送ユニット３を接続して外部メッセージを記憶モジュール２にアクセルすることができる。
【００２８】
更に言えば、筐体モジュール１は第３開口１５を有してもよい。オンオフモジュール３は制御ユニット３０に電気的に接続される電源ユニット３４を更に有する。電源ユニット３４は外部電源端（例えば都市電網、携帯型電源又は任意の電源供給設備であてもよい。図示せず）からの給電を受けて制御ユニット３０に給電する。
【００２９】
例を挙げて言えば、オンオフモジュール３は制御ユニット３０に電気的に接続される電源ユニット３４を更に含んでもよい。電源ユニット３４が第３開口１５に穿設されてもよい。従って、電源線材により電源ユニット３４を接続して外部電源を携帯型記憶装置Ｄに供給することによって携帯型記憶装置Ｄの各素子の運行に必要な電気エネルギを提供することができる。
【００３０】
また、上述した例が１つの実現可能な実施例にすぎず、本考案を制限するためのものではない。
【００３１】
［実施例の優れた効果］
本考案に係る携帯型記憶装置Ｄは、「筐体モジュール１は第１開口１０、収容空間１１及び収容空間１１に位置するストッパー１２を有する。第１開口１０と収容空間１１は連通する。ストッパー１２は第１開口１０に近接する」、「オンオフモジュール３は収容空間１１に位置し、記憶モジュール２に電気的に接続される。活動モジュール４は収容空間１１に位置し、第１開口１０に活動可能に穿設される」及び「活動モジュール４がオンオフモジュール３へ近づくと、活動モジュール４がストッパー１２に当接すると共にオンオフモジュール３に接触することによってオンオフモジュール３を運行させる」の技術手段により、スイッチの安定性を向上させることができるという効果を奏することができる。
【００３２】
更に言えば、本考案に係る携帯型記憶装置Ｄは上述の技術手段により、新規なスイッチ設計構造を提供し、オンオフモジュール３と活動モジュール４の構造設計により活動モジュール４のオンオフモジュール３への接触の安定性を向上させることができる。
【００３３】
以上に開示された内容は本考案の好ましい実行可能な実施例にすぎず、本考案の実用新案登録請求の範囲を制限するものではない。本考案の明細書及び図面の内容に等価的な技術的変形を加えて得られたものは、いずれも本考案の実用新案登録請求の範囲に含まれる。
【符号の説明】
【００３４】
１    筐体モジュール
１０    第１開口
１１    収容空間
１２    ストッパー
１３    位置決め部
１４    第２開口
１５    第３開口
２    記憶モジュール
３    オンオフモジュール
３０    制御ユニット
３１    スイッチユニット
３２    弾性ユニット
３３    伝送ユニット
３４    電源ユニット
４    活動モジュール
４０    リミットユニット
４００    ポート
４０１    位置決め口
４０２    本体部
４０３    延伸部
４０４    リミット部
４１    タクタイルユニット
４１０    支持部
Ｄ    携帯型記憶装置
【図１】
0003224086.tif 000003
【図２】
0003224086.tif 000004
【図３】
0003224086.tif 000005
【図４】
0003224086.tif 000006
【図５】
0003224086.tif 000007
【図６】
0003224086.tif 000008
【図７】
0003224086.tif 000009
【図８】
0003224086.tif 000010
【図９】
0003224086.tif 000011
【図１０】
0003224086.tif 000012
【図１１】
0003224086.tif 000013
【図１２】
0003224086.tif 000014
【図１３】
0003224086.tif 000015